(57)【特許請求の範囲】
【請求項１】
物干装置のベースと、被取付体に後面側を固定され上記ベースが前面からあてがわれるベース座と、を備え、
上記ベースは底板とこの底板の両側から立ち上げた側板とから横断面略コ字状に構成された取付部を有し、
上記ベース座は底板とこの底板の両側から立ち上げた側板とから横断面略コ字状に構成され、
上記取付部の両側の側板は外側に傾斜し、上記ベース座の両側の側板は内側に傾斜しており、
上記物干装置を上記被取付体に取り付けるための取付装置において、
上記取付部の上部と下部とにそれぞれ取り付けられていて上記取付部を上記ベース座の両側の側板に固定する外止具と、上記取付部の両側の側板をそれぞれ挿通していて上記外止具に螺合した締付ねじと、を備え、
上記ベース座は上記締付ねじが当接する受部を上端部と下部で両側の側板の相対向する位置にそれぞれ設けていて、上記上端部の受部は上方に開口する略Ｕ字状に構成され、上記下部の受部は前方に開口する切欠部と連続して上方に開口する略Ｕ字状に構成され、
上記外止具は、
上記取付部の底板の内部に取り付けられた底板と、
ねじ孔を有し外面と上記取付部の両側の側板内面との間にそれぞれ隙間を設けて上記外止具の底板の両側から立ち上がっていて上記締付ねじが上記ねじ孔に螺合した側板と、を備えて、
上記ベースが上記ベース座の前面にあてがわれ、さらに上記ベース座の側板が上記隙間に位置する状態で、上記締付ねじの締め付けによって上記外止具の側板を変形させて上記ベース座の側板に圧接させると、上記外止具の側板と上記取付部の側板とが上記ベース座の側板を挟んで上記ベースが上記ベース座に取り付けられることを特徴とする、物干装置の取付装置。
【請求項２】
物干装置のベースと、被取付体に後面側を固定され前面に上記ベースがあてがわれたベース座と、を備えていて、
上記ベースが底板とこの底板の両側から立ち上がり外側に傾斜した側板とから横断面略コ字状に構成された取付部を有し、
上記ベース座が底板とこの底板の両側から立ち上がり内側に傾斜した側板とから横断面略コ字状に構成されている、取付構造において、
上記取付部の上部と下部とにそれぞれ取り付けられていて上記取付部を上記ベース座の両側の側板に固定する外止具と、上記取付部の両側の側板をそれぞれ挿通していて上記外止具に螺合した締付ねじと、を備え、
上記外止具は、
上記取付部の底板の内部に取り付けられた底板と、
上記外止具の底板の両側から立ち上がっていて上記締付ねじが螺合したねじ孔を有する側板と、を備えて、横断面略コ字状に構成されており、
上記ベース座は上記締付ねじが当接する受部を上端部と下部で両側の側板の相対向する位置にそれぞれ設けていて、上記上端部の受部は上方に開口する略Ｕ字状に構成され、上記下部の受部は前方に開口する切欠部と連続して上方に開口する略Ｕ字状に構成され、
上記取付部の上部と下部で、上記外止具の側板と上記取付部の側板との間の上記締付ねじが上記ベース座の上端部と下部の受部に当接しており、さらに上記外止具の側板が上記締付ねじの締め付けによる変形で上記ベース座の側板に圧接して上記外止具の側板と上記取付部の側板とが上記ベース座の側板を挟んで、上記ベースが上記ベース座に固定されていることを特徴とする、物干装置の取付構造。
【請求項３】
上記締付ねじを緩めて上記外止具の側板を変形させると、上記締付ねじを上記外止具に螺合させた状態で上記ベースを上記ベース座から取り外すことができることを特徴とする、請求項２に記載の物干装置の取付構造。
【請求項４】
下方に突出し内方に折り曲げられていて、上記締付ねじを緩めて上記ベースを上方へ移動させると上記取付部の下部に取り付けられている上記外止具の側板に当接する当接部を上記切欠部に設けていることを特徴とする、請求項３に記載の物干装置の取付構造。
【発明の詳細な説明】
【技術分野】
【０００１】
本発明は、ベランダ手摺や建物壁面等の被取付体に物干装置を取り付けるための物干装置の取付装置とこの取付装置を利用して取り付けた取付構造とに関するものである。
【背景技術】
【０００２】
従来より、被取付体に物干装置を取り付けるための物干装置の取付装置として、特開平１０−１３７４９７号発明のように、ベースに設けた取付孔から、ベース座のねじ孔にボルトを螺合して取り付けるものは存在する。
【先行技術文献】
【特許文献】
【０００３】
【特許文献１】特開平１０−１３７４９７号公報
【発明の概要】
【発明が解決しようとする課題】
【０００４】
上記従来例においては、物干装置のベースをベース座に取り付ける際に、仮止めできるようにしたとしても、ねじを取り出して螺合して取り付けるのは、作業に手間がかかるという問題や、ねじを落下させて紛失してしまうことがあるという問題があり、また、取付後に物干装置にかかる荷重は、ねじ及びベース座のねじ孔周辺部分が受けることになるが、大きな荷重がかかった場合には、そのねじやベース座のねじ孔周辺部分が変形したり破損したりするという問題がある。
【０００５】
本発明は、物干装置のベースをベース座に取り付ける際の問題を解決するために、物干装置の取付装置を提供することを第一の目的とする。
【０００６】
また、本発明は、取付後の問題を解決するために、物干装置の取付構造を提供することを第二の目的とする。
【課題を解決するための手段】
【０００７】
上記の第一の問題を解決するために、本発明は、物干装置を被取付体に取り付けるための取付装置において、物干装置のベースと、被取付体に後面側を固定され上記ベースが前面からあてがわれるベース座と、を備え、上記ベースは底板とこの底板の両側から立ち上げた側板とから横断面略コ字状に構成された取付部を有し、上記ベース座は底板とこの底板の両側から立ち上げた側板とから横断面略コ字状に構成され、上記取付部の両側の側板は外側に傾斜し、上記ベース座の両側の側板は内側に傾斜している。上記取付装置は、上記取付部の上部と下部とにそれぞれ取り付けられていて上記取付部を上記ベース座の両側の側板に固定する外止具と、上記取付部の両側の側板をそれぞれ挿通していて上記外止具に螺合した締付ねじと、を備えている。上記ベース座は上記締付ねじが当接する受部を上端部と下部で両側の側板の相対向する位置にそれぞれ設けていて、上記上端部の受部は上方に開口する略Ｕ字状に構成され、上記下部の受部は前方に開口する切欠部と連続して上方に開口する略Ｕ字状に構成されている。上記外止具は、上記取付部の底板の内部に取り付けられた底板と、ねじ孔を有し外面と上記取付部の両側の側板内面との間にそれぞれ隙間を設けて上記外止具の底板の両側から立ち上がっていて上記締付ねじが上記ねじ孔に螺合した側板と、を備えている。さらに、上記取付装置は、上記ベースが上記ベース座の前面にあてがわれ、さらに上記ベース座の側板が上記隙間に位置する状態で、上記締付ねじの締め付けによって上記外止具の側板を変形させて上記ベース座の側板に圧接させると、上記外止具の側板と上記取付部の側板とが上記ベース座の側板を挟んで上記ベースが上記ベース座に取り付けられることを特徴とする。
【０００８】
上記の第二の問題を解決するために、本発明の取付構造は、物干装置のベースと、被取付体に後面側を固定され前面に上記ベースがあてがわれたベース座と、を備えていて、上記ベースが底板とこの底板の両側から立ち上がり外側に傾斜した側板とから横断面略コ字状に構成された取付部を有し、上記ベース座が底板とこの底板の両側から立ち上がり内側に傾斜した側板とから横断面略コ字状に構成されている。上記取付構造は、上記取付部の上部と下部とにそれぞれ取り付けられていて上記取付部を上記ベース座の両側の側板に固定する外止具と、上記取付部の両側の側板をそれぞれ挿通していて上記外止具に螺合した締付ねじと、を備えている。上記外止具は、上記取付部の底板の内部に取り付けられた底板と、上記外止具の底板の両側から立ち上がっていて上記締付ねじが螺合したねじ孔を有する側板と、を備えて、横断面略コ字状に構成されている。上記ベース座は上記締付ねじが当接する受部を上端部と下部で両側の側板の相対向する位置にそれぞれ設けていて、上記上端部の受部は上方に開口する略Ｕ字状に構成され、上記下部の受部は前方に開口する切欠部と連続して上方に開口する略Ｕ字状に構成されている。上記取付構造は、上記取付部の上部と下部で、上記外止具の側板と上記取付部の側板との間の上記締付ねじが上記ベース座の上端部と下部の受部に当接しており、さらに上記外止具の側板が上記締付ねじの締め付けによる変形で上記ベース座の側板に圧接して上記外止具の側板と上記取付部の側板とが上記ベース座の側板を挟んで、上記ベースが上記ベース座に固定されていることを特徴とする。
【０００９】
さらに、本発明の取付構造は、上記締付ねじを緩めて上記外止具の側板を変形させると、上記締付ねじを上記外止具に螺合させた状態で上記ベースを上記ベース座から取り外すことができる。本発明の取付構造は、好ましくは、下方に突出し内方に折り曲げられていて、上記締付ねじを緩めて上記ベースを上方へ移動させると上記取付部の下部に取り付けられている上記外止具の側板に当接する当接部を上記切欠部に設けている。
【発明の効果】
【００１０】
以上のように本発明によれば、予め外止具に螺合してある締付ねじを締め付けることによって外止具の両側の側板を変形させて、ベース座の両側の側板に押し付けてベースを固定するように構成したので、物干装置の取付の手間が簡略化されると共に、締付ねじを落下させて紛失してしまうという心配がなく、コスト低減や施工性の向上に資することができるという効果がある。
【００１１】
また、ベース座は、底板の両側から側板を立ち上げた横断面略コ字状で、両側の側板を内側に傾斜させてあり、締付ねじを締め付けると、外止具の両側の側板外面がそのベース座の内側に傾斜した両側の側板の内面に接触するので、外れる方向（被取付面から離れる方向）に摩擦だけでなく、斜面により、かかりが生じることになり、使用時に締付ねじやベース座のねじ孔周辺にかかる力が低減され、変形や破損する恐れが減少し、より強固な取付状態が得られるという効果がある。
【００１２】
さらに、締付ねじを外さずに緩めるだけで、物干装置を取り外すことができるので、物干装置を着脱するいずれの場合にも、締付ねじを落下させる心配がないという効果もある。
【図面の簡単な説明】
【００１３】
【図１】使用状態を示す全体側面図である。
【図２】ベースとベース座が離れている状態を示す分解斜視図である。
【図３】ベースとベース座が離れている状態を示す縦断面図である。
【図４】ベースをベース座に被せるようにしてあてがった状態を示す縦断面図である。
【図５】図４の状態からベースを下方へ移動して、締付ねじが受部に当接している状態を示す縦断面図である。
【図６】図５のＡ−Ａ線拡大断面図（締付ねじを締め付けていない状態）である。
【図７】図６の状態から締付ねじを締め付けた状態の横断面図である。
【図８】ベース部分の分解斜視図である。
【実施例１】
【００１４】
本発明は、ベランダ手摺Ｔに固着ねじ１５・１５で固着されるベース座２に物干装置のベース１を取り付ける物干装置の取付装置に関するものであり、物干装置は、ベース１に支柱３を摺動可能に取り付け、さらに支柱３上端部に固定した支持具４に、竿受部３５・・・３５を設けた腕杆５を回動可能かつ摺動可能に取り付けて成るものである。なお、物干装置の詳細な構造については、説明を省略する。
【００１５】
ベース１は、押し出し材で、前部に両側外方に突出する被抱持突条３３・３３を設け、後部にベース座２への取付部１６を設けてある。取付部１６は、横断面略コ字状で、底板１７の両側から側板１８・１８をそれぞれ外側に傾斜させて立ち上げて構成されている。
【００１６】
ベース１の上部に取り付けられる外止具６は、横断面略コ字状の短い部材で、底板２５の両側から側板２６・２６をそれぞれ外側に傾斜させて立ち上げ、両側の側板２６・２６には、それぞれねじ孔２７・２７を設けてある。ベース１の下部に取り付けられる外止具７も、同じく、横断面略コ字状の短い部材で、底板２８の両側から側板２９・２９をそれぞれ外側に傾斜させて立ち上げ、両側の側板２９・２９には、それぞれねじ孔３０・３０を設けてある。
【００１７】
ベース１の上端部にベース上キャップ１２を被せ、外止具６を、ベース１の上部に、両側の側板２６・２６の外側面とベース１の両側の側板１８・１８の内側面との間に隙間３１・３１を設けて、底板２５をベース１の底板１７に固定ねじ９でベース上キャップ１２と共に固定する。また同じく、ベース１の下端部にベース下キャップ１３を被せ、外止具７を、ベース１の下部に、両側の側板２９・２９の外側面とベース１の両側の側板１８・１８の内側面との間に隙間３２・３２を設けて、底板２８をベース１の底板１７に固定ねじ１１でベース下キャップ１３と共に固定する。
【００１８】
そして、ベース１の上端部においては、ベース上キャップ１２の両外側から、締付ねじ８・８をねじ孔２７・２７に螺合し、ベース１の下端部においては、ベース下キャップ１３の両外側から、締付ねじ１０・１０をねじ孔３０・３０に螺合しておく。
【００１９】
その後、ベース１の被抱持突条３３・３３を支柱３の抱持溝３４・３４で抱持させて支柱３をベース１にスライド可能に取り付け、支柱下キャップ１４を固定して物干装置が組み立てられる。
【００２０】
ベース座２は、押し出し材で、横断面略コ字状で、底板１９の両側から側板２０・２０をそれぞれ内側に傾斜させて立ち上げて構成されており、底板１９には、上下部に被取付体への固着用孔３６・３６を設け、両側の側板２０・２０には、上端部に上方に開口するＵ字状に切り欠いた受部２４・２４を設け、下部に前方に開口する切欠部２１・２１を設けると共に、切欠部２１・２１に連続して上方に開口するＵ字状の受部２２・２２を設けてある。さらに、切欠部２１・２１の上面には下方に突出し内方に折り曲げた当接部２３・２３を設けてある。なお、上端部の受部２４・２４は必ずしも必要なものではないし、また、下部の切欠部２１・２１及び受部２２・２２を複数設けてもいいものである。
【００２１】
ベース座２を被取付体であるベランダ手摺Ｔに固着ねじ１５・１５で固着し、組み立てられた物干装置のベース１を、ベース座２の前面から被せるようにあてがい、ベース１上部の外止具６の両側の側板２６・２６とベース１の両側の側板１８・１８との間の締付ねじ８・８がベース座２の上端面を通過すると共に、ベース１下部の外止具７の両側の側板２９・２９とベース１の両側の側板１８・１８との間の締付ねじ１０・１０がベース座２の切欠部２１・２１を通過するようにし、締付ねじ８・８を受部２４・２４の上方に、締付ねじ１０・１０を受部２２・２２の上方にそれぞれ位置させる（図４参照）。
【００２２】
そして、そのままベース１を下方へ移動し、締付ねじ８・８を受部２４・２４に当接させると共に、締付ねじ１０・１０を受部２２・２２に当接させ（図５及び図６参照）、締付ねじ８・８及び締付ねじ１０・１０を締め付けることによって、外止具６の両側の側板２６・２６及び外止具７の両側の側板２９・２９を変形させ、ベース座２の両側の側板２０・２０に圧接させると、ベース座２の両側の側板２０・２０を、外止具６の両側の側板２６・２６及び外止具７の両側の側板２９・２９と、ベース１の両側の側板１８・１８とで、ベース座２の両側の側板２０・２０を挟んで、ベース１がベース座２に取り付けられる。
【００２３】
また、締付ねじ８・８及び締付ねじ１０・１０を緩め、下部の外止具７の両側の側板２９・２９が当接部２３・２３に当接するまで、物干装置のベース１を上方へ移動させてから、前方へ移動させれば、上部の締付ねじ８・８はベース座２の上方を、下部の締付ねじ１０・１０はベース座２の切欠部２１・２１を、それぞれ通過して、物干装置のベース１をベース座２から取り外すことができる。
【００２４】
当接部２３・２３がないと、下部の締付ねじ１０・１０が切欠部２１・２１の上端面に当接するまで、ベース１が上方へ移動してしまい、その状態から前方へ移動させると、外止具７の両側の側板２９・２９の上部の外面がベース座２の両側の側板２０・２０の内側面に接触し、取り外すことができない。
【００２５】
なお、本発明は、物干装置の取付装置に関するものであり、物干装置は、本実施例のものに限定されるものではなく、種々の物干装置に適用できるものであり、例えば、ベースに腕杆を回動可能かつ摺動可能に取り付けたものや、ベースが腕杆と一体になったものでもよい。
【符号の説明】
【００２６】
１    ベース
２    ベース座
７    外止具
１０  締付ねじ
１７  底板
１８  側板
１９  底板
２０  側板
２１  切欠部
２２  受部
２８  底板
２９  側板
３０  ねじ孔
３２  隙間
【図１】
0006259860.tif 000002
【図２】
0006259860.tif 000003
【図３】
0006259860.tif 000004
【図４】
0006259860.tif 000005
【図５】
0006259860.tif 000006
【図６】
0006259860.tif 000007
【図７】
0006259860.tif 000008
【図８】
0006259860.tif 000009